(57)【特許請求の範囲】
【請求項１】
縁無薄畳を平面視正方形状または長方形状の敷設領域に敷設する縁無薄畳の敷設方法であって、
前記敷設領域の四辺部は、平面視において壁と、敷居や床の間の床框等を構成する框部材とを適宜配置することによって構成されており、
前記敷設領域の四辺部のうち、前記框部材の合計長が最も長い一辺部の前記敷設領域側を向く面を基準面とし、前記一辺部と直交する二つの他辺部のうち、前記框部材の合計長が長い他辺部の前記敷設領域側を向きかつ前記基準面と直交する面を隣接面とするとともに、前記基準面と対向する面を第１対向面とし、前記隣接面と対向する面を第２対向面とし、
まず、前記敷設領域の四辺部のうち前記敷設領域側を向く壁の壁面下端部に、上端部にカバー部が形成された見切り材を取り付ける見切材取付工程と、
この見切材取付工程後、規格化された縁無薄畳である定形縁無薄畳を、前記基準面および隣接面から順次前記敷設領域に、定形縁無薄畳どうしが当接するようにして敷設していく定形縁無薄畳敷設工程と、
この定形縁無薄畳敷設工程後、複数の定形縁無薄畳を敷設してなる定形縁無薄畳群の外周面と、前記第１対向面および前記第２対向面との間に、この間に納まるように定形縁無薄畳を切断してなる調整縁無薄畳を敷設していくとともに、前記第１対向面と第２対向面とが交差する角部に前記調整縁無薄畳を敷設する調整縁無薄畳敷設工程と、
前記壁面下端部に前記定形縁無薄畳および調整縁無薄畳を、前記見切り材を介して当接する際に、前記定形縁無薄畳および調整縁無薄畳の縁部上面に、前記見切り材のカバー部が被せられる見切材被せ工程とを含むことを特徴とする縁無薄畳の敷設方法。 
【請求項２】
請求項１に記載の縁無薄畳の敷設方法において、
前記調整縁無薄畳敷設工程では、前記第２対向面と、前記定形縁無薄畳群の外周面との間に前記調整縁無薄畳を敷設した後、
前記第１対向面と、前記定形縁無薄畳群の外周面との間に前記調整縁無薄畳を敷設していくに際し、前記第１対向面と第２対向面とが交差する角部に調整縁無薄畳を敷設した後、この角部に敷設した調整縁無薄畳に隣接する最後の調整縁無薄畳を敷設することを特徴とする縁無薄畳の敷設方法。 
【請求項３】
請求項１または２に記載の縁無薄畳の敷設方法において、
前記見切材取付工程と前記縁無薄畳敷設工程との間で、
前記敷設領域の床面に、前記基準面から前記定形縁無薄畳の一辺の長さと等しいピッチで墨打ちを前記基準面と平行に行うとともに、前記隣接面から前記定形縁無薄畳の一辺の長さと等しいピッチで墨打ちを前記隣接面と平行に行うことで、前記床面に墨打ち線を描く墨打ち工程と、
この墨打ち工程後、前記基準面と平行に両面接着テープを前記床面に貼り付ける両面接着テープ貼付工程とを行い、
この両面接着テープ貼付工程では、前記基準面の際位置と、前記第１対向面の際位置と、前記基準面と平行な前記墨打ち線の両側位置と、前記墨打ち線から前記ピッチの半分の半ピッチだけ離間した中間位置とにおいて、前記床面に両面接着テープを貼り付け、
前記定形縁無薄畳敷設工程および前記調整縁無薄畳敷設工程において、それぞれ前記床面に前記定形縁無薄畳および調整縁無薄畳を敷設する際に、前記両面接着テープにその離型紙を剥がして前記定形縁無薄畳および調整縁無薄畳を貼り付けることを特徴とする縁無薄畳の敷設方法。 
【請求項４】
請求項１〜３のいずれか一項に記載の縁無薄畳の敷設方法において、
前記見切材取付工程では、前記見切り材の下面を前記床面に当接するとともに、見切り材の背面を前記壁面下端部に両面接着テープで接着固定した後、止着材を見切り材を通して前記壁面下端部に打ち込むことを特徴とする縁無薄畳の敷設方法。 
【請求項５】
請求項１〜４のいずれか一項に記載の縁無薄畳の敷設方法において、
前記見切材取付工程と、前記定形縁無薄畳敷設工程との間で、複数の定形縁無薄畳を、前記基準面および隣接面から順次前記敷設領域に、前記定形縁無薄畳どうしが当接するようにして仮敷設した後、前記壁の壁面下端部と定形縁無薄畳との間の隙間および隣り合う定形縁無薄畳どうしの目地ずれを確認し、その後仮敷設した定形縁無薄畳を敷設領域から取り外すことを特徴とする縁無薄畳の敷設方法。
【発明の詳細な説明】
【技術分野】
【０００１】
本発明は、縁無薄畳の敷設方法に関する。
【背景技術】
【０００２】
畳を和室等の敷設領域に敷設する方法の一例として特許文献１に記載の技術が知られている。この技術は、部屋の大きさから割り出した畳の大きさよりも若干大きめに規格化した畳を準備する工程と、該規格化した畳を現場に持ち込む工程と、持ち込んだ畳を順次敷き込む工程と、畳を敷設しようとしたときに、この畳を敷設しようとする領域に入り切らない畳を切断して該領域に適合する大きさに調整する工程と、この大きさ調整した畳を敷き込む工程とを有することを特徴としている。
畳を敷き込む工程および調整する工程では、先ず、搬入した畳のうち４枚を部屋の一隅から敷き込み、次に、残る４つの領域に関して、畳の長さ寸法や幅寸法を適宜調整した後、これらを敷き込むようにしている。
また、大きさ調整した畳を敷き込んだ後、この畳に沿う部屋のＬ字状の縁部に、縁帯材料を配置しており、これによって縁部の隙間を隠すことができる。
【先行技術文献】
【特許文献】
【０００３】
【特許文献１】特開２０００−２１３１５０号公報
【発明の概要】
【発明が解決しようとする課題】
【０００４】
ところで、上記従来の畳の敷設方法では、大きさ調整した畳を敷き込んだ後、この畳に沿う部屋のＬ字状の縁部に縁帯材料を配置することによって、縁部の隙間を隠している。
一方、複数の畳を敷き込んでなる畳群の外周部の外側には、特に壁との間に隙間が生じ易い。すなわち、和室等の畳を敷設する敷設領域の縁部には、壁と、敷居や床の間の床框等を構成する框部材とが適宜配置されているが、壁は框部材に比して施工誤差が生じ易いので、畳群の外周部の外側には、特に壁との間に隙間が生じ易い。
したがって、上記従来の畳の敷設方法では、規格化した畳を敷き込む場合も、この畳と壁との間に隙間が生じることがあり、見映えが悪くなるおそれがあった。
また、上記従来の畳の敷設方法では、まず畳４枚を部屋の一隅から敷き込むようにしているが、部屋の四隅のうちどの隅を基準として敷き込むかについては何ら記載されていない。したがって、基準の取り方によっては隙間の生じる位置が異なってしまうので、効率的に畳を敷設し難いという問題もある。
【０００５】
本発明は上記事情に鑑みてなされたもので、縁無薄畳を平面視正方形状または長方形状の敷設領域に効率よく敷設できるとともに、壁との間の隙間が見えることがない縁無薄畳の敷設方法を提供することを課題としている。
【課題を解決するための手段】
【０００６】
上記課題を解決するために、請求項１に記載の発明は、例えば図１等に示すように、縁無薄畳１を平面視正方形状または長方形状の敷設領域Ｓに敷設する縁無薄畳の敷設方法であって、
図１（ａ）に示すように、前記敷設領域Ｓの四辺部ＳＡ、ＳＢ、ＳＣ、ＳＤは、平面視において壁ｂ２，ｂ３，ｃ２，ｃ３，ｄ１と、敷居や床の間の床框等を構成する框部材ａ１，ａ２，ｂ１，ｃ１とを適宜配置することによって構成されており、
前記敷設領域Ｓの四辺部ＳＡ、ＳＢ、ＳＣ、ＳＤのうち、前記框部材の合計長が最も長い一辺部ＳＡの前記敷設領域側Ｓを向く面を基準面Ａとし、前記一辺部ＳＡと直交する二つの他辺部ＳＢ，ＳＤのうち、前記框部材の合計長が長い他辺部ＳＢの前記敷設領域側を向きかつ前記基準面Ａと直交する面を隣接面Ｂとするとともに、前記基準面Ａと対向する面を第１対向面Ｃとし、前記隣接面Ｂと対向する面を第２対向面Ｄとし、
まず、図１、図１０〜図１３に示すように、前記敷設領域Ｓの四辺部ＳＡ、ＳＢ、ＳＣ、ＳＤのうち前記敷設領域側を向く壁ｂ２，ｂ３，ｃ２，ｃ３，ｄ１の壁面下端部に、上端部にカバー部５ｃが形成された見切り材５を取り付ける見切材取付工程と、
この見切材取付工程後、図１（ｅ）に示すように、規格化された縁無薄畳である定形縁無薄畳２を、前記基準面Ａおよび隣接面Ｂから順次前記敷設領域Ｓに、定形縁無薄畳２，２どうしが当接するようにして敷設していく定形縁無薄畳敷設工程と、
この定形縁無薄畳敷設工程後、図１（ｅ）〜図１（ｇ）に示すように、複数の定形縁無薄畳２を敷設してなる定形縁無薄畳群１５の外周面１５ａ，１５ｂと、前記第１対向面Ｃおよび前記第２対向面Ｄとの間に、この間に納まるように定形縁無薄畳２を切断してなる調整縁無薄畳３を前記敷設領域Ｓに敷設していくとともに、前記第１対向面Ｃと第２対向面Ｄとが交差する角部に前記調整縁無薄畳３を敷設する調整縁無薄畳敷設工程と、
図７および図９に示すように、前記壁面下端部に前記定形縁無薄畳２および調整縁無薄畳３を、前記見切り材５を介して当接する際に、前記定形縁無薄畳２および調整縁無薄畳３の縁部上面に、前記見切り材５のカバー部５ｃが被せられる見切材被せ工程とを含むことを特徴とする。
【０００７】
請求項１に記載の発明によれば、定形縁無薄畳敷設工程で、定形縁無薄畳２を基準面Ａおよび隣接面Ｂから順次前記敷設領域Ｓに、定形縁無薄畳２，２どうしが当接するようにして敷設していき、その後、調整縁無薄畳敷設工程で、定形縁無薄畳群１５の外周面１５ａ，１５ｂと、第１対向面Ｃおよび第２対向面Ｄとの間に、調整縁無薄畳３を敷設領域Ｓに敷設していくとともに、第１対向面Ｃと第２対向面Ｄとが交差する角部に調整縁無薄畳３を敷設するので、縁無薄畳（２，３）を平面視正方形状または長方形状の敷設領域Ｓに効率よく敷設できる。
また、見切材取付工程で、敷設領域Ｓの四辺部ＳＡ、ＳＢ、ＳＣ、ＳＤのうち敷設領域側を向く壁ｂ２，ｂ３，ｃ２，ｃ３，ｄ１の壁面下端部に、見切り材５を取り付け、見切材被せ工程で、壁面下端部に定形縁無薄畳２および調整縁無薄畳３を、見切り材５を介して当接する際に、定形縁無薄畳２および調整縁無薄畳３の縁部上面に、見切り材５のカバー部５ｃが被せられるので、定形縁無薄畳２および調整縁無薄畳３と壁ｂ２，ｂ３，ｃ２，ｃ３，ｄ１との間の隙間がカバー部５ｃによって覆われて見えることがなく、また、切断した面も覆われて見えることがないので、見映えがよくなる。
さらに、調整縁無薄畳工程で、定形縁無薄畳群１５の外周面１５ａ，１５ｂと、第１対向面Ｃおよび前記第２対向面Ｄとの間に、この間に納まるように定形縁無薄畳２を切断してなる調整縁無薄畳３を前記敷設領域Ｓに敷設していくとともに、前記第１対向面Ｃと第２対向面Ｄとが交差する角部に前記調整縁無薄畳３を敷設するので、調整縁無薄畳３と、第１対向面Ｃおよび第２対向面Ｄとの間の隙間をほとんど無くすることがきる。したがって、調整縁無薄畳３の縁部上面に被せる見切り材５のカバー部５ｃの長さを小さくでき、この点においても見映えがよくなる。
【０００８】
請求項２に記載の発明は、請求項１に記載の縁無薄畳の敷設方法において、
前記調整縁無薄畳敷設工程では、例えば図１（ｅ）に示すように、前記第２対向面Ｄと、前記定形縁無薄畳群１５の外周面１５ａとの間に前記調整縁無薄畳３を敷設した後、図１（ｆ）〜図１（ｈ）に示すように、前記第１対向面Ｃと、前記定形縁無薄畳群１５の外周面１５ｂとの間に前記調整縁無薄畳３を敷設していくに際し、前記第１対向面Ｃと第２対向面Ｄとが交差する角部に調整縁無薄畳を敷設した後、この角部に敷設した調整縁無薄畳に隣接する最後の調整縁無薄畳３を敷設することを特徴とする。
【０００９】
請求項２に記載の発明によれば、第２対向面Ｄと、定形縁無薄畳群１５の外周面１５ａとの間に調整縁無薄畳３を敷設することによって、隣接面Ｂと第２対向面Ｄとの間に、縁無薄畳（２，３）を敷き詰めることができ、その後、第１対向面Ｃと、定形縁無薄畳群１５の外周面１５ｂとの間に調整縁無薄畳３を敷設していくに際し、第１対向面Ｃと第２対向面Ｄとが交差する角部に調整縁無薄畳３を敷設した後、この角部に敷設した調整縁無薄畳３に隣接する最後の調整縁無薄畳３を敷設することによって、基準面Ａと第１対向面Ｃとの間および前記角部に縁無薄畳３を敷き詰めることができる。これによって、敷設領域に縁無薄畳（定形縁無薄畳２および調整縁無薄畳３）を敷き詰めることができる。また、前記角部に調整縁無薄畳３を敷設した後、この角部に敷設した調整縁無薄畳３に隣接する最後の調整縁無薄畳３を敷設するので、角部に最後に調整縁無薄畳３を敷設する場合に比して、最後の調整縁無薄畳３を容易に敷設できる。
【００１０】
請求項３に記載の発明は、例えば図１（ｃ）に示すように、請求項１または２に記載の縁無薄畳の敷設方法において、
前記見切材取付工程と前記縁無薄畳敷設工程との間で、
前記敷設領域Ｓの床面に、前記基準面Ａから前記定形縁無薄畳２の一辺の長さと等しいピッチで墨打ちを前記基準面Ａと平行に行うとともに、前記隣接面Ｂから前記定形縁無薄畳２の一辺の長さと等しいピッチで墨打ちを前記隣接面Ｂと平行に行うことで、前記床面に墨打ち線１０を描く墨打ち工程と、
この墨打ち工程後、前記基準面Ａと平行に両面接着テープ１１を前記床面に貼り付ける両面接着テープ貼付工程とを行い、
この両面接着テープ貼付工程では、前記基準面Ａの際位置と、前記第１対向面Ｃの際位置と、前記基準面Ａと平行な前記墨打ち線１０の両側位置と、前記墨打ち線１０から前記ピッチの半分の半ピッチだけ離間した中間位置とにおいて、前記床面に両面接着テープ１１を貼り付け、
前記定形縁無薄畳敷設工程および前記調整縁無薄畳敷設工程において、それぞれ前記床面に前記定形縁無薄畳２および調整縁無薄畳３を敷設する際に、前記両面接着テープ１１にその離型紙を剥がして前記定形縁無薄畳２および調整縁無薄畳３を貼り付けることを特徴とする。
【００１１】
請求項３に記載の発明によれば、墨打ち工程によって床面に墨打ち線１０を描いた後、両面接着テープ貼付工程で、基準面Ａの際位置と、第１対向面Ｃの際位置と、基準面Ａと平行な墨打ち線１０の両側位置と、墨打ち線１０からピッチの半分の半ピッチだけ離間した中間位置とにおいて、床面に両面接着テープ１１を貼り付けるので、敷設領域Ｓに敷設されるべき定形縁無薄畳２と調整縁無薄畳３とを固定するための、両面接着テープ１１を最適な位置に配置できる。
そして、定形縁無薄畳敷設工程および調整縁無薄畳敷設工程において、それぞれ床面に定形縁無薄畳２および調整縁無薄畳３を敷設する際に、両面接着テープ１１にその離型紙を剥がして定形縁無薄畳２および調整縁無薄畳３を貼り付けるので、これら定形縁無薄畳２および調整縁無薄畳３を順番よく確実に床面に固定できる。
【００１２】
請求項４に記載の発明は、請求項１〜３のいずれか一項に記載の縁無薄畳の敷設方法において、
例えば図１２に示すように、前記見切材取付工程では、前記見切り材５の下面を前記床面に当接するとともに、見切り材５の背面を前記壁面下端部に両面接着テープ６で接着固定した後、止着材８を見切り材５を通して前記壁面下端部に打ち込むことを特徴とする。
【００１３】
請求項４に記載の発明によれば、見切り材５を床面に当接した状態で壁面下端部に強固に密着固定できる。
【００１４】
請求項５に記載の発明は、請求項１〜４のいずれか一項に記載の縁無薄畳の敷設方法において、
例えば図１（ｂ）に示すように、前記見切材取付工程と、前記定形縁無薄畳敷設工程との間で、複数の定形縁無薄畳２を、前記基準面Ａおよび隣接面Ｂから順次前記敷設領域Ｓに、前記定形縁無薄畳２，２どうしが当接するようにして仮敷設した後、前記壁ｂ２の壁面下端部と定形縁無薄畳２との間の隙間および隣り合う定形縁無薄畳２，２どうしの目地ずれを確認し、その後仮敷設した定形縁無薄畳２を敷設領域Ｓから取り外すことを特徴とする。
【００１５】
請求項５に記載の発明によれば、定形縁無薄畳２を仮敷設した後、壁ｂ２の壁面下端部と定形縁無薄畳２との間の隙間および隣り合う定形縁無薄畳２，２どうしの目地ずれを確認することによって、その後の定形縁無薄畳敷設工程での、定形縁無薄畳２の敷設を確実に行うことができる。
【発明の効果】
【００１６】
本発明によれば、定形縁無薄畳を基準面および隣接面から順次前記敷設領域に、定形縁無薄畳どうしが当接するようにして敷設していき、その後、定形縁無薄畳群の外周面と、第１対向面および第２対向面との間に、調整縁無薄畳を敷設領域に敷設していくとともに、第１対向面と第２対向面とが交差する角部に調整縁無薄畳を敷設するので、縁無薄畳（定形縁無薄畳および調整縁無薄畳）を平面視正方形状または長方形状の敷設領域に効率よく敷設できる。
また、敷設領域の四辺部のうち敷設領域側を向く壁の壁面下端部に、見切り材を取り付け、壁面下端部に定形縁無薄畳および調整縁無薄畳を、見切り材を介して当接する際に、定形縁無薄畳および調整縁無薄畳の縁部上面に、見切り材のカバー部が被せられるので、定形縁無薄畳および調整縁無薄畳と壁との間の隙間がカバー部によって覆われて見えることがなく、また、切断した面も覆われて見えることがないので、見映えがよくなる。
【図面の簡単な説明】
【００１７】
【図１】本発明に係る縁無薄畳の敷設方法の一例を示すもので、その工程図である。
【図２】同、縁無薄畳を敷設した状態を示す平面図である。
【図３】同、定形縁無薄畳を示す断面図である。
【図４】同、見切り材を示す断面図である。
【図５】同、図１におけるＡ−Ａ線およびＢ−Ｂ線断面図である。
【図６】同、図１におけるＣ−Ｃ線断面図である。
【図７】同、図１におけるＤ−Ｄ線断面図である。
【図８】同、図１におけるＥ−Ｅ線断面図である。
【図９】同、図１におけるＦ−Ｆ線およびＧ−Ｇ線断面図である。
【図１０】同、見切り材を壁と床に当接した状態を示す要部断面図である。
【図１１】同、見切り材の要部断面図である。
【図１２】同、見切り材を壁に取り付けた状態を示す断面図である。
【図１３】同、見切り材を壁のコーナ部に取り付けた状態を示す斜視図である。
【図１４】同、両面接着テープに縁無薄畳を貼り付ける方法を示す断面図である。
【図１５】同、縁無薄畳を壁際に納める方法を示す断面図である。
【発明を実施するための形態】
【００１８】
以下、図面を参照して本発明の実施の形態について説明する。
図１は本発明に係る縁無薄畳の敷設方法の一例を示す工程図、図２は縁無薄畳を敷設した状態を示す平面図、図３は本発明で使用される縁無薄畳を示す断面図、図４は本発明で使用される見切り材を示す断面図である。
【００１９】
本実施の形態では、図１（ａ）および図２に示すように、平面視略正方形状の敷設領域Ｓに、複数の縁無薄畳１を敷設するようになっている。敷設領域Ｓは例えば住宅に設けられた和室であり、この敷設領域Ｓの四辺部ＳＡ、ＳＢ、ＳＣ、ＳＤは、平面視において壁と、敷居や床の間の床框等を構成する框部材とを適宜配置することによって構成されている。
辺部ＳＡは敷居を構成する框部材ａ１と、床の間Ｔの床框を構成する框部材ａ２とが平面視一直線上に配置されることによって構成されている。辺部ＳＢは敷居を構成する框部材ｂ１と、この框部材ｂ１の両側に配置された壁ｂ２，ｂ３とが平面視一直線上に配置されることによって構成されている。辺部ＳＣは、敷居を構成する框部材ｃ１と、この框部材ｃ１の両側に配置された壁ｃ２，ｃ３とが平面視一直線上に配置されることによって構成されている。なお、壁ｃ３と壁ｂ３とは平面視において直角に配置されている。辺部ＳＤは壁ｄ１によって平面視一直線状に構成されている。壁ｄ１は床の間Ｔを構成する壁は含まず、前記框部材ａ２の端部と壁ｃ２の端部との間に配置されたものとする。壁ｄ１は框部材ａ２および壁ｃ２と平面視において直角に配置されている。
【００２０】
本実施の形態で使用する縁無薄畳１は、大きく分けて、規格化された定形縁無薄畳２と、定形縁無薄畳２を切断してなる調整縁無薄畳３との二種類がある。
定形縁無薄畳２は、図２および図３に示すように、平面視正方形状に形成され、繊維を絡み合わせて多気孔の正方形板状に成形したボード２ａと、このボード２ａの上面および四周側面に貼り付けられた不織布２ｂと、この不織布２ｂの表面に貼り付けられた表面材（畳表）２ｃとから構成されている。
調整縁無薄畳３は、図１、図８、図９等に示すように、定形縁無薄畳２をその一辺と平行に切断してなるものや、定形縁無薄畳２をその直角に交わるニ辺とそれぞれ平行に切断してなるものがあり、その切断面は前記不織布２ｂおよび表面材２ｃによって覆われておらず、ボード２ａの切断面が露出している。
【００２１】
本実施の形態で使用する見切り材５は、図４に示すように、横断面略Ｌ字状に形成された長尺（図４において紙面と直交する方向に長尺）なものであり、基板５ａとこの基板５ａの端部から直角に立ち上がる側板部５ｂと、この側板部５ｂの上端から直角に折れ曲がるカバー部５ｃとから構成されている。また、見切り材５の側板部５ｂの背面には両面接着テープ６が貼り付けられている。
【００２２】
次に、本発明に係る縁無薄畳の敷設方法について説明する。
まず、図１（ａ）に示すように、基準面Ａ１、隣接面Ｂ、第１対向面Ｃ、第２対向面Ｄを決定する。
基準面Ａ１は、敷設領域Ｓの四辺部ＳＡ，ＳＢ，ＳＣ，ＳＤのうち、框部材の合計長が最も長い一辺部ＳＡの敷設領域Ｓ側を向く面とする。つまり、框部材ａ１，ａ２の合計の長さが一番長いので、一辺部ＳＡの敷設領域Ｓ側を向く面を基準面Ａとする。
隣接面Ｂは、一辺部ＳＡと直交する二つの他辺部ＳＢ，ＳＤのうち、框部材の合計長が長い他辺部ＳＢの敷設領域Ｓ側を向きかつ基準面Ａと直交する面とする。
第１対向面Ｃは基準面Ａと対向する、辺部ＳＣの敷設領域側を向く面であり、第２対向面Ｄは隣接面Ｂと対向する、辺部ＳＤの敷設領域側を向く面である。
【００２３】
上記のようにして、基準面Ａ、隣接面Ｂ、第１対向面Ｃ、第２対向面Ｄを決定した後、まず、敷設領域Ｓの四辺部ＳＡ，ＳＢ，ＳＣ，ＳＤのうち敷設領域Ｓ側を向く壁ｂ２，ｂ３，ｃ２，ｃ３，ｄ１の壁面下端部に見切り材５を取り付ける（見切材取付工程）。
この場合、まず敷設領域Ｓの床面（下地面）のゴミ・ホコリ等をよく拭き取って取り除いた後、図１０〜図１２に示すように、見切り材５の両面接着テープ６の離型紙６ａを剥がした上で、見切り材５の基板５ａを床面に擦らせながら側板部５の背面を壁面下端部に押し付けて接着する。次に、見切り材５の基板５ａを養生テープ７で床面に止めつけた後、フィニッシュネイル（仕上釘）等の止着材８を、見切り材５の側板部５ａを通して壁面下端部に打ち込むことによって、見切り材５を固定する。また、見切り材５を固定する際に、図１３に示すように、直交する壁（壁ｂ３と壁ｃ３、壁ｃ２と壁ｄ１）の角部においては、見切り材５，５の基板５ａ，５ａの重なり部分をカッターで取り除いて、基板５ａ，５ａどうしが重ならないようにする。
【００２４】
次に、図１（ｂ）に示すように、複数の定形縁無薄畳２を、基準面Ａおよび隣接面Ｂから順次敷設領域Ｓに、定形縁無薄畳２，２どうしが当接するようにして仮敷設する。
この場合、基準面Ａと隣接面Ｂとが交差する角部の床面に、１番目の定形縁無薄畳２を基準面Ａおよび隣接面Ｂに当接した状態で仮敷設し、順次、２番目および３番目の定形縁無薄畳２，２を基準面Ａに沿って該基準面Ａに当接した状態で仮敷設していき、次に、４番目の定形縁無薄畳２を横に隣り合う定形縁無薄畳２および隣接面Ｂに当接した状態で仮敷設し、順次、５番目および６番目の定形縁無薄畳２，２を既に敷設した定形縁無薄畳２，２に沿って該定形縁無薄畳２，２に当接した状態で仮敷設していき、次に、７番目の定形縁無薄畳２を横に隣り合う定形縁無薄畳２および隣接面Ｂに当接した状態で仮敷設し、順次、８番目および９番目の定形縁無薄畳２，２を既に敷設した定形縁無薄畳２，２に沿って該定形縁無薄畳２，２に当接した状態で仮敷設していく。なお、図１（ｂ）には、定形縁無薄畳２の仮敷設の順番が円の中に付した数字として記載されている。
【００２５】
定形縁無薄畳２を仮敷設していく場合、表面が市松模様となるように定形縁無薄畳２の向きを変えながら仮敷設していく。つまり、前後左右に隣接する定形縁無薄畳２，２の表面材（畳表）２ｃ，２ｃの柄方向が互いに直交するように配置する。定形縁無薄畳２の裏面には、図１（ｂ）に示すような矢印によって柄の方向が印刷されているので、この柄の方向を参考にして、定形縁無薄畳２を仮敷設していく。
そして、定形縁無薄畳２を仮敷設したら、壁ｂ２の壁面下端部と定形縁無薄畳２との間の隙間および隣り合う定形縁無薄畳２，２のどうしの目地ずれを確認する。そして、壁ｂ２の壁面下端部と定形縁無薄畳２との間の隙間および隣り合う定形縁無薄畳２，２のどうしの目地ずれが、許容値より大きい場合、定形縁無薄畳２の仮敷設状態を適度に調整して、許容値内に納まることを確認する。適度に調整しても、許容値内に納まらない場合、敷設領域Ｓの角の直角が出ていない可能性がある。したがって、実際に敷設領域Ｓの角の直角が出ていない場合、本発明に係る敷設方法は中止して、他の方法で敷設する。
そして、前記目地ずれ等が許容値に納まっていることを確認したら、仮敷設した定形縁無薄畳２を敷設領域Ｓから取り外す。
【００２６】
次に、図１（ｃ）に示すように、敷設領域Ｓの床面に、基準面Ａから定形縁無薄畳２の一辺の長さと等しいピッチで墨打ちを基準面Ａと平行に行うとともに、隣接面Ｂから定形縁無薄畳２の一辺の長さと等しいピッチで墨打ちを隣接面Ｂと平行に行うことで、床面に墨打ち線を格子状に描く（墨打ち工程）。
墨打ちの際の測定は、基準面Ａには見切り材５が取り付けられていないので、基準面Ａを基準として測定していき、隣接面Ｂには見切り材５が取り付けられているので、この見切り材５の側板部５ｂの表面を基準として測定していく。
【００２７】
この墨打ち工程後、図１（ｄ）に示すように、基準面Ａと平行に両面接着テープ１１・・・を床面に貼り付ける（両面接着テープ貼付工程）。
この両面接着テープ貼付工程では、基準面Ａの際位置と、第１対向面Ｃの際位置と、基準面Ａと平行な墨打ち線１０の両側位置と、墨打ち線１０から前記ピッチの半分の半ピッチだけ離間した中間位置とにおいて、床面に両面接着テープ１１を貼り付ける。
また、両面接着テープ１１の貼り方向と直交する敷居（框部材）ｂ１があるので、貼り上がり後の両面接着テープ１１の厚みによる段差不具合防止のため、敷居ｃ１の脇に平行に両面接着テープ１１を貼り付ける。
なお、前記両面接着テープ１１は、図１４に示すように、上から圧力をかけない間は横ずらし可能で、圧力をかけると固定される特殊なテープである。したがって、両面接着テープ１１を貼り付けた後は、両面接着テープ１１を上から踏み付けることのないように注意する。
【００２８】
次に、図１（ｅ）に示すように、前記定形縁無薄畳２を、基準面Ａおよび隣接面Ｂから順次敷設領域Ｓに、定形縁無薄畳２，２どうしが当接するようにして敷設していく（定形縁無薄畳敷設工程）。
この定形縁無薄畳敷設工程では、図１（ｂ）に示す仮敷設工程の場合と同様にして、定形縁無薄畳２を敷設していく。この場合、床面に貼り付けられている両面接着テープ１１の離型紙を、定形縁無薄畳２を敷設する際にその都度剥がしたうえで、該両面接着テープ１１に定形縁無薄畳２を接着する。そして、定形縁無薄畳２の縁と、墨打ち線１０との間に大きなずれがないか、また定形縁無薄畳２と、框部材ａ１，ａ２，ｂ１や見切り材５との間に目隙がないかなどを確認し、必要であれば、図１４に示すように、横方向に多少ずらして調整したうえで、うまく納まったら、上から定形縁無薄畳２を押さえ付けて圧着する。
上記のようにして定形縁無薄畳２を敷設していくことによって、図５に示すように、床の間Ｔの框部材ａ２および框部材（敷居）ａ１に定形縁無薄畳２が隙間無く当接され、図６に示すように、框部材（敷居）ｂ１に定形縁無薄畳２が隙間無く当接される。
また、上記のような定形縁無薄畳敷設工程において、最初の定形縁無薄畳２を基準面Ａと隣接面Ｂとが交差する角部の床面に敷設して貼り付ける場合、図７に示すように、定形縁無薄畳２を、見切り材５を介して壁ｂ２の下端部当接する際に、定形縁無薄畳２の縁部上面に、見切り材５のカバー部５ｃが被せられる（見切材被せ工程）。
【００２９】
上記のような定形縁無薄畳敷設工程後、図１（ｅ）〜図１（ｇ）に示すように、複数の定形縁無薄畳２を敷設してなる定形縁無薄畳群１５の外周面１５ａ，１５ｂと、前記第２対向面Ｄおよび第１対向面Ｃとの間に、この間に納まるように定形縁無薄畳２を切断してなる調整縁無薄畳３を第２対向面Ｄ、第１対向面Ｃおよび外周面１５ａ，１５ｂに当接するようにして敷設領域Ｓに敷設していくとともに、第１対向面Ｃと第２対向面Ｄとが交差する角部に調整縁無薄畳３を敷設する（調整縁無薄畳敷設工程）。なお、図１（ｅ）〜図１（ｇ）には、調整縁無薄畳３の仮敷設の順番が円の中に付した数字として記載されている。
【００３０】
この調整縁無薄畳敷設工程では、まず図１（ｅ）に示すように、定形縁無薄畳群１５の外周面１５ａと、第２対向面Ｄとの間に、調整縁無薄畳３を第２対向面Ｄおよび外周面１５ａに当接するようにして床面に敷設する。この場合、前記外周面１５ａと、第２対向面Ｄに取り付けられている見切り材５の側板部５ｂの表面との間の長さを測定し、この測定値に合せて、定形縁無薄畳２をカッターによって切断して調整縁無薄畳３を３枚用意する。定形縁無薄畳２は正方形状であるので、その表面の柄の方向を考慮して、定形縁無薄畳２をその一辺と平行に切断する。そして、３枚の調整縁無薄畳３を順次、第２対向面Ｄに沿って仮置きする。その際、調整縁無薄畳３を見切り材５にはめ込まず、上から乗せてみて、定形縁無薄畳群１５と重なって入らないなど、うまく納まらない場合、調整縁無薄畳３を再度切断して調整する。
そして、仮置きしてうまく納まりそうであれば、床面に貼り付けてある両面接着テープ１１の離型紙を剥がして、図１５に示すように、調整縁無薄畳３を見切り材５に差し込むようにして納めて、床面に順次左側から番号順に敷設して両面接着テープ１１によって固定する。
上記のようにして調整縁無薄畳３を敷設していくことによって、図５に示すように、床の間Ｔの框部材ａ２に調整縁無薄畳３が隙間無く当接される。
また、図９に示すように、調整縁無薄畳３を、見切り材５を介して壁ｄ１の下端部当接する際に、調整縁無薄畳３の縁部上面に、見切り材５のカバー部５ｃが被せられる（見切材被せ工程）。
【００３１】
次に、図１（ｆ）および図１（ｇ）に示すように、定形縁無薄畳群１５の外周面１５ｂと、第１対向面Ｃとの間に、調整縁無薄畳３を第１対向面Ｃおよび外周面１５ｂに当接するようにして床面に敷設する。この場合、前記外周面１５ｂと、第１対向面Ｃに取り付けられている見切り材５の側板部５ｂの表面との間の長さを測定し、この測定値に合せて、定形縁無薄畳２をカッターによって切断して調整縁無薄畳３を１枚用意する。また、前記外周面１５ｂと框部材ｃ１の側面との間の間の長さを測定し、この測定値に合せて、定形縁無薄畳２をカッターによって切断して調整縁無薄畳３を２枚用意する。定形縁無薄畳２は正方形状であるので、その表面の柄の方向を考慮して、定形縁無薄畳２をその一辺と平行に切断する。
そして、まず図１（ｆ）に示すように、隣接面Ｂと第１対向面Ｃとが直角に交差する角部の床面に調整縁無薄畳３を敷設する。この場合、壁ｂ３，ｃ３に見切り材５，５が直交して取り付けられているので、壁ｃ３に取り付けられている見切り材５に調整縁無薄畳３を差し込んだうえで、この調整縁無薄畳３を縦方向にずらしながら壁ｂ３に取り付けられている見切り材５に差し込む。なお、調整縁無薄畳３を見切り材５に差し込む前に、床面に貼り付けられている両面接着テープ１１の離型紙を剥がしておき、この両面接着テープ１１によって調整縁無薄畳３を固定する。
そして、図９に示すように、調整縁無薄畳３を、壁ｃ３に取り付けられている見切り材５を介して壁ｃ３の下端部に当接する際に、調整縁無薄畳３の縁部上面に、見切り材５のカバー部５ｃが被せられる（見切材被せ工程）。また、図７に示すように、調整縁無薄畳３を、壁ｂ３に取り付けられている見切り材５を介して壁ｂ３の下端部に当接する際に、調整縁無薄畳３の縁部上面に、見切り材５のカバー部５ｃが被せられる（見切材被せ工程）。
【００３２】
次に、図１（ｇ）に示すように、定形縁無薄畳群１５の外周面１５ｂと、第１対向面Ｃ（框部材ｃ１の側面）との間に、調整縁無薄畳３を外周面１５ｂおよび第１対向面Ｃ（框部材ｃ１の側面）に当接するようにして床面に敷設する。これによって、図８に示すように、框部材ｃ１に調整縁無薄畳３が隙間無く当接される。なお、調整縁無薄畳３を敷設する前に、床面に貼り付けられている両面接着テープ１１の離型紙を剥がしておき、この両面接着テープ１１によって調整縁無薄畳３を固定する。
【００３３】
次に、次の調整縁無薄畳３を、直前に固定した調整縁無薄畳３と第１対向面Ｃ（框部材ｃ１の側面）とに当接するようにして床面に仮置きする。
次に、仮置きした調整縁無薄畳３と第２対向面Ｄに取り付けられている見切り材５の側板部５ｂの表面との間の長さおよび、第１対向面Ｃと第２対向面Ｄとが交差する角部の横に固定されている調整縁無薄畳３と、第１対向面Ｃに取り付けられている見切り材５の側板部５ｂの表面との間の長さを測定し、この測定値に合せて、定形縁無薄畳２をカッターによって直交する２方向で切断して調整縁無薄畳３を得る。
そして、この調整縁無薄畳３を第１対向面Ｃと第２対向面Ｄとが交差する角部に仮置きして、２枚の調整縁無薄畳３，３が納まるかを確認し、一旦これら調整縁無薄畳３，３を取り外す。
【００３４】
次に、第１対向面Ｃと第２対向面Ｄとが交差する角部に調整縁無薄畳３を敷設する。この場合、図１（ｆ）で示した場合と同様に、壁ｃ２に取り付けられている見切り材５に調整縁無薄畳３を差し込んだうえで、この調整縁無薄畳３を縦方向にずらしながら壁ｄ１に取り付けられている見切り材５に差し込む。なお、調整縁無薄畳３を見切り材５に差し込む前に、床面に貼り付けられている両面接着テープ１１の離型紙を剥がしておき、この両面接着テープ１１によって調整縁無薄畳３を固定する。
そして、図９に示すように、調整縁無薄畳３を、壁ｃ２および壁ｄ１に取り付けられている見切り材５を介して壁ｃ２および壁ｄ１の下端部に当接する際に、調整縁無薄畳３の縁部上面に、見切り材５のカバー部５ｃが被せられる（見切材被せ工程）。
【００３５】
最後に、残り１枚の調整縁無薄畳３を敷設する。この場合、この調整縁無薄畳３を、縦方向に隣り合う調整縁無薄畳３と角部に敷設された前記調整縁無薄畳３との間に挿入して、框部材（敷居）ｃ１に当接する。なお、調整縁無薄畳３を敷設する前に、床面に貼り付けられている両面接着テープ１１の離型紙を剥がしておき、この両面接着テープ１１によって調整縁無薄畳３を固定する。これによって、図８に示すように、框部材ｃ１に調整縁無薄畳３が隙間無く当接されるとともに、縦方向に隣り合う調整縁無薄畳３に隙間無く当接する。
定形縁無薄畳２および調整縁無薄畳３を全て敷設したら、これらをその上から踏み込んで、両面接着テープ１１に確実に圧着して終了する。
【００３６】
以上のように、本実施の形態によれば、定形縁無薄畳敷設工程で、定形縁無薄畳２を基準面Ａおよび隣接面Ｂから順次前記敷設領域Ｓに、定形縁無薄畳２，２どうしが当接するようにして敷設していき、その後、調整縁無薄畳敷設工程で、定形縁無薄畳群１５の外周面１５ｂ，１５ａと、第１対向面Ｃおよび第２対向面Ｄとの間に、調整縁無薄畳３を敷設領域Ｓに敷設していくとともに、第１対向面Ｃと第２対向面Ｄとが交差する角部に調整縁無薄畳３を敷設するので、縁無薄畳２，３を平面視正方形状または長方形状の敷設領域に効率よく敷設できる。
また、見切材取付工程で、敷設領域Ｓの四辺部ＳＡ、ＳＢ、ＳＣ、ＳＤのうち敷設領域側を向く壁ｂ２，ｂ３，ｃ２，ｃ３，ｄ１の壁面下端部に、見切り材５を取り付け、見切材被せ工程で、壁面下端部に定形縁無薄畳２および調整縁無薄畳３を、見切り材５を介して当接する際に、定形縁無薄畳２および調整縁無薄畳３の縁部上面に、見切り材５のカバー部５ｃが被せられるので、定形縁無薄畳２および調整縁無薄畳３と壁ｂ２，ｂ３，ｃ２，ｃ３，ｄ１との間の隙間がカバー部５ｃによって覆われて見えることがなく、また、切断した面も覆われて見えることがないので、見映えがよくなる。
さらに、調整縁無薄畳工程で、定形縁無薄畳群１５の外周面１５ａ，１５ｂと、第１対向面Ｃおよび前記第２対向面Ｄとの間に、この間に納まるように定形縁無薄畳２を切断してなる調整縁無薄畳３を前記敷設領域Ｓに敷設していくとともに、前記第１対向面Ｃと第２対向面Ｄとが交差する角部に前記調整縁無薄畳３を敷設するので、調整縁無薄畳３と、第１対向面Ｃおよび第２対向面Ｄとの間の隙間をほとんど無くすることがきる。したがって、調整縁無薄畳３の縁部上面に被せる見切り材５のカバー部５ｃの長さを小さくでき、この点においても見映えがよくなる。
【００３７】
また、第２対向面Ｄと、定形縁無薄畳群１５の外周面１５ａとの間に調整縁無薄畳３を敷設することによって、隣接面Ｂと第２対向面Ｄとの間に、縁無薄畳２，３を敷き詰めることができ、その後、第１対向面Ｃと、定形縁無薄畳群１５の外周面１５ｂとの間に調整縁無薄畳３を敷設していくに際し、第１対向面Ｃと第２対向面Ｄとが交差する角部に調整縁無薄畳３を敷設した後、この角部に敷設した調整縁無薄畳３に隣接する最後の調整縁無薄畳３を敷設することによって、基準面Ａと第１対向面Ｃとの間および前記角部に縁無薄畳３を敷き詰めることができる。これによって、敷設領域Ｓに縁無薄畳（定形縁無薄畳２および調整縁無薄畳３）を敷き詰めることができる。また、前記角部に調整縁無薄畳３を敷設した後、この角部に敷設した調整縁無薄畳３に隣接する最後の調整縁無薄畳３を敷設するので、角部に最後に調整縁無薄畳３を敷設する場合に比して、最後の調整縁無薄畳３を容易に敷設できる。
【００３８】
さらに、墨打ち工程によって床面に墨打ち線１０を描いた後、両面接着テープ貼付工程で、基準面Ａの際位置と、第１対向面Ｃの際位置と、基準面Ａと平行な墨打ち線１０の両側位置と、墨打ち線１０からピッチの半分の半ピッチだけ離間した中間位置とにおいて、床面に両面接着テープ１１を貼り付けるので、敷設領域Ｓに敷設されるべき定形縁無薄畳２と調整縁無薄畳３とを固定するための、両面接着テープ１１を最適な位置に配置できる。
そして、定形縁無薄畳敷設工程および調整縁無薄畳敷設工程において、それぞれ床面に定形縁無薄畳２および調整縁無薄畳３を敷設する際に、離型紙を剥がして両面接着テープ１１に定形縁無薄畳２および調整縁無薄畳３を貼り付けるので、これら定形縁無薄畳２および調整縁無薄畳３を順番よく確実に床面に固定できる。
【００３９】
また、見切材取付工程では、見切り材５の基板５ａ下面を床面に当接するとともに、見切り材５の側板部５ｂの背面を壁面下端部に両面接着テープ６で接着固定した後、止着材８を見切り材５を通して壁面下端部に打ち込むので、見切り材５を床面に当接した状態で壁面下端部に強固に密着固定できる。
また、定形縁無薄畳２を仮敷設した後、壁ｂ２の壁面下端部と定形縁無薄畳２との間の隙間および隣り合う定形縁無薄畳２，２どうしの目地ずれを確認することによって、その後の定形縁無薄畳敷設工程での、定形縁無薄畳の敷設を確実に行うことができる。
【符号の説明】
【００４０】
１  縁無薄畳
２  定形縁無薄畳（縁無薄畳）
３  調整縁無薄畳（縁無薄畳）
５  見切り材
５ｃ  カバー部
６  両面接着テープ
８  止着材
１０  墨打ち線
１１  両面接着テープ
１５  定形縁無薄畳群
１５ａ，１５ｂ  外周面
Ｓ  敷設領域
ＳＡ，ＳＢ，ＳＣ，ＳＤ  辺部
ａ１，ａ２，ｂ１，ｃ１  框部材
ｂ２，ｂ３，ｃ２，ｃ３，ｄ１  壁
Ａ  基準面
Ｂ  隣接面
Ｃ  第１対向面
Ｄ  第２対向面
【図１】
0005431089.tif 000002
【図２】
0005431089.tif 000003
【図３】
0005431089.tif 000004
【図４】
0005431089.tif 000005
【図５】
0005431089.tif 000006
【図６】
0005431089.tif 000007
【図７】
0005431089.tif 000008
【図８】
0005431089.tif 000009
【図９】
0005431089.tif 000010
【図１０】
0005431089.tif 000011
【図１１】
0005431089.tif 000012
【図１２】
0005431089.tif 000013
【図１３】
0005431089.tif 000014
【図１４】
0005431089.tif 000015
【図１５】
0005431089.tif 000016